(57)【要約】【課題】  最適なホワイトバランスを維持することを可能とする投写型映像表示装置を提供する。【解決手段】  投写型映像表示装置１００は、赤入力信号に応じて赤成分光を変調する液晶パネル３０Ｒ、緑入力信号に応じて緑成分光を変調する液晶パネル３０Ｇ及び青入力信号に応じて青成分光を変調する液晶パネル３０Ｂを備えており、赤成分光、緑成分光及び青成分光のいずれかに第４色成分光を重畳する。投写型映像表示装置１００は、映像の輝度を優先する輝度優先モード及び映像の色バランスを優先する色バランス優先モードを制御する制御部１３０を備える。【選択図】  図３
2010014743.tif 000002
【特許請求の範囲】
【請求項１】
赤入力信号に応じて赤成分光を変調する赤変調素子、緑入力信号に応じて緑成分光を変調する緑変調素子及び青入力信号に応じて青成分光を変調する青変調素子を備えており、前記赤成分光、前記緑成分光及び前記青成分光のいずれかに第４色成分光を重畳する投写型映像表示装置であって、
映像の輝度を優先する輝度優先モード及び映像の色バランスを優先する色バランス優先モードを制御する制御部を備えることを特徴とする投写型映像表示装置。
【請求項２】
前記制御部は、前記輝度優先モードにおいて、前記赤入力信号、前記緑入力信号及び前記青入力信号に基づいて算出された映像の彩度が所定彩度よりも低い場合に、非隣接色成分光及び隣接色成分光の光量を少なくとも減少させずに、前記映像の彩度が前記所定彩度よりも高い場合に、前記非隣接色成分光の光量補正処理及び前記隣接色成分光の光量補正処理のうち、少なくともいずれか一方の処理を前記第４色成分光の重畳量に基づいて行い、
前記非隣接色成分光は、前記赤成分光、前記緑成分光及び前記青成分光のうち、前記第４色成分光の色相に隣接していない色相を有する色成分光であり、
前記隣接色成分光は、前記赤成分光、前記緑成分光及び前記青成分光のうち、前記第４色成分光の色相に隣接する色相を有する色成分光であることを特徴とする請求項１に記載の投写型映像表示装置。
【請求項３】
前記制御部は、前記色バランス優先モードにおいて、前記赤入力信号、前記緑入力信号及び前記青入力信号に基づいて算出された映像の彩度及び前記第４色成分光の重畳量に基づいて、非隣接色成分光の光量補正処理及び隣接色成分光の光量補正処理のうち、少なくともいずれか一方の処理を行い、
前記非隣接色成分光は、前記赤成分光、前記緑成分光及び前記青成分光のうち、前記第４色成分光の色相に隣接していない色相を有する色成分光であり、
前記隣接色成分光は、前記赤成分光、前記緑成分光及び前記青成分光のうち、前記第４色成分光の色相に隣接する色相を有する色成分光であることを特徴とする請求項１に記載の投写型映像表示装置。
【請求項４】
前記制御部は、前記赤入力信号、前記緑入力信号及び前記青入力信号のうち、前記非隣接色成分光に対応する非隣接色信号を補正することによって、前記非隣接色成分光の光量補正処理を行う信号補正部を有することを特徴とする請求項３に記載の投写型映像表示装置。
【請求項５】
前記制御部は、前記赤入力信号、前記緑入力信号及び前記青入力信号のうち、前記隣接色成分光に対応する隣接色信号を補正することによって、前記隣接色成分光の光量補正処理を行う信号補正部を有することを特徴とする請求項３に記載の投写型映像表示装置。
【請求項６】
前記制御部は、前記非隣接色成分光の変調前において、前記非隣接色成分光の光量を補正することによって、前記非隣接色成分光の光量補正処理を行う光量補正部を有することを特徴とする請求項３に記載の投写型映像表示装置。
【請求項７】
前記制御部は、前記隣接色成分光の変調前において、前記隣接色成分光の光量を補正することによって、前記隣接色成分光の光量補正処理を行う光量補正部を有することを特徴とする請求項３に記載の投写型映像表示装置。
【請求項８】
前記第４色成分光の重畳量が最大であるケースを基準にしてホワイトバランスが最適化されており、
前記非隣接色成分光の光量補正処理は、前記第４色成分光の重畳量の減少に伴って前記非隣接色成分光の光量を減少する処理であることを特徴とする請求項３に記載の投写型映像表示装置。
【請求項９】
前記第４色成分光の重畳量が最小であるケースを基準にしてホワイトバランスが最適化されており、
前記非隣接色成分光の光量補正処理は、前記第４色成分光の重畳量の減少に伴って前記非隣接色成分光の光量を増大する処理であることを特徴とする請求項３に記載の投写型映像表示装置。
【発明の詳細な説明】
【技術分野】
【０００１】
本発明は、赤成分光、緑成分光及び青成分光に加えて、第４色成分光を利用する投写型映像表示装置に関する。
【背景技術】
【０００２】
従来、赤成分光を変調する赤液晶パネルと、緑成分光を変調する緑液晶パネルと、青成分光を変調する青液晶パネルとを備えた３板式の投写型映像表示装置が一般的に広く知られている。
【０００３】
また、輝度の向上や消費電力の低減を目的として、赤成分光、緑成分光及び青成分光に加えて、第４色成分光（例えば、黄色成分光）を利用した投写型映像表示装置も提案されている（例えば、特許文献１）。
【０００４】
具体的には、投写型映像表示装置では、赤成分光、緑成分光及び青成分光に加えて、黄色成分光を利用することによって、スクリーン上に投写される映像の輝度向上などが図られている。
【特許文献１】特開２００２−２８７２４７号公報（請求項１、請求項４、図１など）
【発明の開示】
【発明が解決しようとする課題】
【０００５】
しかしながら、上述した投写型映像表示装置では、単に黄色成分光を追加すると、ホワイトポイントの色温度が低下する。すなわち、最適なホワイトバランスが崩れてしまう。
【０００６】
そこで、本発明は、上述した課題を解決するためになされたものであり、最適なホワイトバランスを維持することを可能とする投写型映像表示装置を提供することを目的とする。
【課題を解決するための手段】
【０００７】
第１の特徴に係る投写型映像表示装置は、赤入力信号に応じて赤成分光を変調する赤変調素子（液晶パネル３０Ｒ）、緑入力信号に応じて緑成分光を変調する緑変調素子（液晶パネル３０Ｇ）及び青入力信号に応じて青成分光を変調する青変調素子（液晶パネル３０Ｂ）を備えており、前記赤成分光、前記緑成分光及び前記青成分光のいずれかに第４色成分光を重畳する。投写型映像表示装置は、映像の輝度を優先する輝度優先モード及び映像の色バランスを優先する色バランス優先モードを制御する制御部（制御部１３０）を備える。
【０００８】
かかる特徴によれば、制御部は、輝度優先モード及び色バランス優先モードを制御するため、第４色成分光を利用するケースであっても、色バランスを維持すべき場合に、最適なホワイトバランスを維持することができる。
【０００９】
上述した特徴において、前記制御部は、前記輝度優先モードにおいて、前記赤入力信号、前記緑入力信号及び前記青入力信号に基づいて算出された映像の彩度が所定彩度よりも低い場合に、非隣接色成分光及び隣接色成分光の光量を少なくとも減少させずに、前記映像の彩度が前記所定彩度よりも高い場合に、前記非隣接色成分光の光量補正処理及び前記隣接色成分光の光量補正処理のうち、少なくともいずれか一方の処理を前記第４色成分光の重畳量に基づいて行う。前記非隣接色成分光は、前記赤成分光、前記緑成分光及び前記青成分光のうち、前記第４色成分光の色相に隣接していない色相を有する色成分光である。前記隣接色成分光は、前記赤成分光、前記緑成分光及び前記青成分光のうち、前記第４色成分光の色相に隣接する色相を有する色成分光である。
【００１０】
上述した特徴において、前記制御部は、前記色バランス優先モードにおいて、前記赤入力信号、前記緑入力信号及び前記青入力信号に基づいて算出された映像の彩度及び前記第４色成分光の重畳量に基づいて、非隣接色成分光の光量補正処理及び隣接色成分光の光量補正処理のうち、少なくともいずれか一方の処理を行う。前記非隣接色成分光は、前記赤成分光、前記緑成分光及び前記青成分光のうち、前記第４色成分光の色相に隣接していない色相を有する色成分光である。前記隣接色成分光は、前記赤成分光、前記緑成分光及び前記青成分光のうち、前記第４色成分光の色相に隣接する色相を有する色成分光である。
【００１１】
上述した特徴において、前記制御部は、前記赤入力信号、前記緑入力信号及び前記青入力信号のうち、前記非隣接色成分光に対応する非隣接色信号を補正することによって、前記非隣接色成分光の光量補正処理を行う信号補正部（モード制御部１３５）を有する。
【００１２】
上述した特徴において、前記制御部は、前記赤入力信号、前記緑入力信号及び前記青入力信号のうち、前記隣接色成分光に対応する隣接色信号を補正することによって、前記隣接色成分光の光量補正処理を行う信号補正部（モード制御部１３５）を有する。
【００１３】
上述した特徴において、前記制御部は、前記非隣接色成分光の変調前において、前記非隣接色成分光の光量を補正することによって、前記非隣接色成分光の光量補正処理を行う光量補正部（モード制御部１３５ａ）を有する。
【００１４】
上述した特徴において、前記制御部は、前記隣接色成分光の変調前において、前記隣接色成分光の光量を補正することによって、前記隣接色成分光の光量補正処理を行う光量補正部（モード制御部１３５ａ）を有する。
【００１５】
上述した特徴において、前記第４色成分光の重畳量が最大であるケースを基準にしてホワイトバランスが最適化されている。前記非隣接色成分光の光量補正処理は、前記第４色成分光の重畳量の減少に伴って前記非隣接色成分光の光量を減少する処理である。
【００１６】
上述した特徴において、前記第４色成分光の重畳量が最小であるケースを基準にしてホワイトバランスが最適化されている。前記非隣接色成分光の光量補正処理は、前記第４色成分光の重畳量の減少に伴って前記非隣接色成分光の光量を増大する処理である。
【発明の効果】
【００１７】
本発明によれば、最適なホワイトバランスを維持することを可能とする投写型映像表示装置を提供することができる。
【発明を実施するための最良の形態】
【００１８】
以下において、本発明の実施形態に係る投写型映像表示装置について、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［第１実施形態］
（投写型映像表示装置の概略）
以下において、第１実施形態に係る投写型映像表示装置の概略について、図面を参照しながら説明する。図１は、第１実施形態に係る投写型映像表示装置１００の概略を示す図である。投写型映像表示装置１００は、後述するように、赤成分光、緑成分光及び青成分光に加えて、第４色成分光として黄色成分光を利用する。
【００２１】
図１では、光源１０が発する光を均質化するフライアイレンズ、光源１０が発する光の偏光方向を揃えるＰＢＳ（Ｐｏｌａｒｉｚｅｄ  Ｂｅａｍ  Ｓｐｌｉｔｔｅｒ）などが省略されていることに留意すべきである。
【００２２】
図１に示すように、投写型映像表示装置１００は、光源１０と、複数の液晶パネル３０（液晶パネル３０Ｒ、液晶パネル３０Ｇ、液晶パネル３０Ｂ及び液晶パネル３０Ｙｅ）と、クロスダイクロイックキューブ６０と、投写レンズユニット１１０とを備える。
【００２３】
光源１０は、白色光を発するＵＨＰランプなどである。すなわち、光源１０が発する光は、赤成分光、緑成分光、青成分光及び黄色成分光を少なくとも含む。
【００２４】
黄色成分光は、上述したように、第４色成分光である。黄色成分光は、赤成分光及び緑成分光のいずれか一方、又は、赤成分光及び緑成分光の双方に重畳される。
【００２５】
第１実施形態では、黄色成分光は、緑成分光に重畳され、液晶パネル３０Ｇに入射する。青成分光は、黄色成分光の色相に隣接していない色相を有する非隣接色成分光である。赤成分光及び緑成分光は、黄色成分光の色相に隣接する色相を有する隣接色成分光である。
【００２６】
液晶パネル３０Ｒは、後述するように、赤入力信号（具体的には、赤入力信号Ｒｉｎから算出される赤用出力信号Ｒｏｕｔ）に応じて赤成分光を変調する。なお、液晶パネル３０Ｒの光入射側及び光出射側には、一対の偏光板３１Ｒ、３２Ｒが設けられている。
【００２７】
同様に、液晶パネル３０Ｇは、緑入力信号（具体的には、緑入力信号Ｇｉｎから算出される緑用出力信号Ｇｏｕｔ）に応じて緑成分光を変調し、液晶パネル３０Ｂは、青入力信号（具体的には、青入力信号Ｂｉｎから算出される青用出力信号Ｂｏｕｔ）に応じて青成分光を変調する。なお、液晶パネル３０Ｇ及び液晶パネル３０Ｂの光入射側及び光出射側には、一対の偏光板３１Ｇ、３２Ｇ及び一対の偏光板３１Ｂ、３２Ｂが設けられている。
【００２８】
一方で、液晶パネル３０Ｙｅは、赤入力信号、緑入力信号及び青入力信号に基づいて算出される黄用制御信号（具体的には、黄用出力信号Ｙｅｏｕｔ）に応じて黄色成分光を変調する。なお、液晶パネル３０Ｙｅの光入射側及び光出射側の少なくとも一方に偏光板（不図示）が設けられていてもよい。、
液晶パネル３０Ｙｅから出射される光は、液晶パネル３０Ｇに入射する。すなわち、液晶パネル３０Ｇは、液晶パネル３０Ｙｅから出射される光がクロスダイクロイックキューブ６０に入射するまでの間において、液晶パネル３０Ｙｅから出射される光の光路上に設けられている。
【００２９】
なお、液晶パネル３０Ｙｅの変調量の制御とは、液晶パネル３０Ｙｅを透過する黄色成分光の光量の制御であることに留意すべきである。すなわち、液晶パネル３０Ｙｅの変調量の制御とは、赤成分光に重畳される黄色成分光の重畳量の制御である。また、黄用出力信号Ｙｅｏｕｔは、液晶パネル３０Ｙｅの変調量を示す信号である。
【００３０】
ここで、液晶パネル３０Ｙｅの解像度は、液晶パネル３０Ｒ、液晶パネル３０Ｇ及び液晶パネル３０Ｂの解像度と異なる。具体的には、スクリーン（不図示）上に高精細な映像を表示するために、液晶パネル３０Ｒ、液晶パネル３０Ｇ及び液晶パネル３０Ｂは高い解像度を有する。一方で、液晶パネル３０Ｙｅから出射される光は主として照明光として利用される。従って、液晶パネルに設けられた電極などによって光利用効率が低下しないように、液晶パネル３０Ｙｅの解像度は、液晶パネル３０Ｒ、液晶パネル３０Ｇ及び液晶パネル３０Ｂの解像度よりも低いことが好ましい。また、対象領域毎に黄色成分光の光量を調整できればよいため、液晶パネル３０Ｙｅの解像度は低くても十分である。
【００３１】
なお、解像度が低いとは、液晶パネル３０Ｙｅが解像度を有していないことも含む概念である。従って、液晶パネル３０Ｙｅは、複数の領域毎に変調量が制御可能に構成されている必要はなく、全面の変調量のみが制御される構成を有していてもよい。
【００３２】
また、液晶パネル３０Ｙｅの解像度は、液晶パネル３０Ｒ、液晶パネル３０Ｇ及び液晶パネル３０Ｂの解像度と同じであってもよい。
【００３３】
クロスダイクロイックキューブ６０は、液晶パネル３０Ｒ、液晶パネル３０Ｇ及び液晶パネル３０Ｂから出射される光を合成する色合成部である。すなわち、クロスダイクロイックキューブ６０は、液晶パネル３０Ｒから出射される赤成分光及び黄色成分光、液晶パネル３０Ｇから出射される緑成分光及び液晶パネル３０Ｂから出射される青成分光を合成する。また、クロスダイクロイックキューブ６０は、赤成分光、緑成分光、青成分光及び黄色成分光を含む合成光（映像光）を投写レンズユニット１１０側に出射する。
【００３４】
投写レンズユニット１１０は、クロスダイクロイックキューブ６０によって合成された合成光（映像光）をスクリーン（不図示）上に投写する。
【００３５】
図１に戻って、投写型映像表示装置１００は、複数のミラー群（ミラー２１〜ミラー２５）を有する。ミラー２１は、青成分光、緑成分光及び黄色成分光を含む光を透過し、赤成分光を反射するダイクロイックミラーである。ミラー２２は、赤成分光を液晶パネル３０Ｒ側に反射するミラーである。ミラー２３は、緑成分光及び黄色成分光を含む他の光を液晶パネル３０Ｇ側に反射し、青成分光を透過するダイクロイックミラーである。ミラー２４及びミラー２５は、青成分光を液晶パネル３０Ｂ側に反射するミラーである。
【００３６】
ここで、ミラー２１及びミラー２３は、赤成分光と緑成分光と青成分光とに光源１０が発する光を分離する色分離部を構成する。上述したように、黄色成分光は、緑成分光に重畳される。
【００３７】
投写型映像表示装置１００は、黄色成分光の偏光方向を９０°回転させる位相差板５０を有する。具体的には、位相差板５０は、緑成分光と偏光方向が揃っていた黄色成分光の偏光方向を略９０°回転させて、黄色成分光を液晶パネル３０Ｇ側に出射する。
【００３８】
なお、位相差板５０を設けるか否かについては任意である。以下に示すように、液晶パネル３０Ｙｅのタイプ及び位相差板５０の有無によって、液晶パネル３０Ｙｅに印加される電圧が制御されることに留意すべきである。
【００３９】
具体的には、液晶パネル３０Ｙｅから出射された黄色成分光の偏光方向が、液晶パネル３０Ｇに入射する緑成分光の偏光方向と異なる場合には、液晶パネル３０Ｇの入射側に設けられた偏光板によって黄色成分光が遮光される。
【００４０】
従って、液晶パネル３０Ｙｅに電圧を印加すべきか否かについては、電圧の印加状態と偏光の回転との関係で制御される。以下においては、電圧が印加されていない状態で偏光方向を回転し、電圧が印加された状態で偏光方向を回転しない第１タイプの液晶パネルと、電圧が印加されていない状態で偏光方向を回転せずに、電圧が印加された状態で偏光方向を回転する第２タイプの液晶パネルとを例に挙げて説明する。
【００４１】
（１）液晶パネル３０Ｙｅが第１タイプであるケース
（１−１）位相差板５０が設けられていないケース
黄色成分光をオフにする場合には、液晶パネル３０Ｙｅに電圧を印加しない。これによって、液晶パネル３０Ｙｅが黄色成分光の偏光方向を回転させるため、黄色成分光の偏光方向が緑成分光の偏光方向と異なることになる。すなわち、液晶パネル３０Ｇの入射側に設けられた偏光板によって黄色成分光が遮光される。
【００４２】
黄色成分光をオンにする場合には、液晶パネル３０Ｙｅに電圧を印加する。これによって、液晶パネル３０Ｙｅが黄色成分光の偏光方向を回転させないため、黄色成分光の偏光方向が緑成分光の偏光方向と同じになる。
【００４３】
（１−２）位相差板５０が設けられているケース
黄色成分光をオフにする場合には、液晶パネル３０Ｙｅに電圧を印加する。これによって、位相差板５０が黄色成分光の偏光方向を回転させた後に、液晶パネル３０Ｙｅが黄色成分光の偏光方向を回転させないため、黄色成分光の偏光方向が緑成分光の偏光方向と異なることになる。すなわち、液晶パネル３０Ｇの入射側に設けられた偏光板によって黄色成分光が遮光される。
【００４４】
黄色成分光をオンにする場合には、液晶パネル３０Ｙｅに電圧を印加しない。これによって、位相差板５０が黄色成分光の偏光方向を回転させた後に、液晶パネル３０Ｙｅが黄色成分光の偏光方向をさらに回転させるため、黄色成分光の偏光方向が緑成分光の偏光方向と同じになる。
【００４５】
（２）液晶パネル３０Ｙｅが第２タイプであるケース
（２−１）位相差板５０が設けられていないケース
黄色成分光をオフにする場合には、液晶パネル３０Ｙｅに電圧を印加する。これによって、液晶パネル３０Ｙｅが黄色成分光の偏光方向を回転させるため、黄色成分光の偏光方向が緑成分光の偏光方向と異なることになる。すなわち、液晶パネル３０Ｇの入射側に設けられた偏光板によって黄色成分光が遮光される。
【００４６】
黄色成分光をオンにする場合には、液晶パネル３０Ｙｅに電圧を印加しない。これによって、液晶パネル３０Ｙｅが黄色成分光の偏光方向を回転させないため、黄色成分光の偏光方向が緑成分光の偏光方向と同じになる。
【００４７】
（２−２）位相差板５０が設けられているケース
黄色成分光をオフにする場合には、液晶パネル３０Ｙｅに電圧を印加しない。これによって、位相差板５０が黄色成分光の偏光方向を回転させた後に、液晶パネル３０Ｙｅが黄色成分光の偏光方向を回転させないため、黄色成分光の偏光方向が緑成分光の偏光方向と異なることになる。すなわち、液晶パネル３０Ｇの入射側に設けられた偏光板によって黄色成分光が遮光される。
【００４８】
黄色成分光をオンにする場合には、液晶パネル３０Ｙｅに電圧を印加する。これによって、位相差板５０が黄色成分光の偏光方向を回転させた後に、液晶パネル３０Ｙｅが黄色成分光の偏光方向をさらに回転させるため、黄色成分光の偏光方向が緑成分光の偏光方向と同じになる。
【表１】
2010014743.tif 000003
【００４９】
ここで、表１は、上述した電圧の印加状態と偏光の回転との関係をまとめた表である。
【００５０】
（色度図）
以下において、第１実施形態に係る色度図について、図面を参照しながら説明する。図２は、第１実施形態に係る色度図を示す図である。
【００５１】
図２に示すように、各色の色相及び彩度は、色度座標軸Ｘ及び色度座標軸Ｙによって表される。図２において、実線で囲まれた範囲は、黄色成分光の重畳量が最小であるケース（以下、最小ケース）における色再現範囲である。点線で囲まれた範囲は、黄色成分光の重畳量が最大であるケース（以下、最大ケース）における色再現範囲である。ＷＰは、最小ケース及び最大ケースにおいて最適化されたホワイトポイント（最も色温度が高いポイント）である。
【００５２】
第１実施形態では、赤（Ｒ）、緑（Ｇ）、青（Ｂ）及び黄（Ｙｅ）について考慮する。従って、赤（Ｒ）及び緑（Ｇ）は、黄（Ｙｅ）に隣接する色相を有する。青（Ｂ）は、黄（Ｙｅ）に隣接しない色相を有する。広義の解釈として、赤（Ｒ）の補色がシアン（Ｃｙ）であり、緑（Ｇ）の補色がマゼンタ（Ｍｇ）であり、青（Ｂ）の補色が黄（Ｙｅ）であると考えられる。
【００５３】
図３に示すように、最大ケースの色再現範囲は、最小ケースの色再現範囲よりも狭い。すなわち、黄色成分光の重畳量の増加に伴って、色再現範囲は縮小する。また、第１実施形態では、黄色成分光が緑成分光に重畳されるため、主として、緑（Ｇ）の色相において色再現範囲が縮小する。
【００５４】
（投写型映像表示装置の機能）
以下において、第１実施形態に係る投写型映像表示装置の機能について、図面を参照しながら説明する。図３は、第１実施形態に係る投写型映像表示装置１００（制御部１３０）の機能を示すブロック図である。
【００５５】
図３に示すように、制御部１３０は、入力信号受付部１３１と、Ｙｅ置換成分算出部１３２と、パラメータ特定部１３３と、Ｙｅ成分調整部１３４と、モード制御部１３５とを有する。
【００５６】
入力信号受付部１３１は、赤入力信号Ｒｉｎ、緑入力信号Ｇｉｎ及び青入力信号Ｂｉｎを取得する。入力信号受付部１３１は、赤入力信号Ｒｉｎ、緑入力信号Ｇｉｎ及び青入力信号Ｂｉｎをパラメータ特定部１３３に入力する。入力信号受付部１３１は、赤入力信号Ｒｉｎ及び緑入力信号ＧｉｎをＹｅ置換成分算出部１３２に入力する。
【００５７】
Ｙｅ置換成分算出部１３２は、赤成分光及び緑成分光を黄色成分光によって代替可能な成分（Ｙｅ置換成分）に対応するＹｅ置換信号Ｗを算出する。
【００５８】
ここで、赤成分光及び緑成分光は、赤成分光及び緑成分光と等しい光量を有する黄色成分光によって代替可能である。従って、赤入力信号Ｒｉｎ及び緑入力信号Ｇｉｎは、赤入力信号Ｒｉｎ及び緑入力信号Ｇｉｎと等しい信号強度を有するＹｅ置換信号Ｗによって代替可能である。
【００５９】
従って、Ｙｅ置換成分算出部１３２は、赤入力信号Ｒｉｎ及び緑入力信号Ｇｉｎに基づいて、以下の（式１）に従って、Ｙｅ置換信号Ｗを算出する。
【００６０】
〔数１〕
Ｗ＝ｍｉｎ（Ｒｉｎ，Ｇｉｎ）・・・（式１）
なお、ｍｉｎ（Ｒｉｎ，Ｇｉｎ）は、赤入力信号Ｒｉｎ及び緑入力信号Ｇｉｎのうち、信号強度が低い入力信号である。
【００６１】
Ｙｅ置換成分算出部１３２は、赤入力信号Ｒｉｎ、緑入力信号Ｇｉｎ及びＹｅ置換信号ＷをＹｅ成分調整部１３４に入力する。
【００６２】
パラメータ特定部１３３は、赤入力信号Ｒｉｎ、緑入力信号Ｇｉｎ及び青入力信号Ｂｉｎによって再現される映像の彩度及び輝度を算出する。ここで、映像の彩度の算出方法として、パラメータ特定部１３３は、画像（フレーム）全体を構成する画素の彩度の平均値を算出してもよく、画像（フレーム）を構成する画素のうち、特定の色相を有する画素の彩度の平均値を算出してもよい。同様に、映像の輝度の算出方法として、パラメータ特定部１３３は、画像（フレーム）全体を構成する画素の輝度の平均値を算出してもよく、画像（フレーム）を構成する画素のうち、特定の色相を有する画素の輝度の平均値を算出してもよい。
【００６３】
続いて、パラメータ特定部１３３は、図４（ａ）〜図４（ｃ）を参照して、パラメータ（輝度パラメータβ１、色再現パラメータα、輝度パラメータβ２）を特定し、特定したパラメータをＹｅ成分調整部１３４に入力する。
【００６４】
具体的には、図４（ａ）に示すように、色再現パラメータαは、映像（例えば、黄（Ｙｅ）の色相）の彩度がＴｈ１となるまでは一定である。一方、色再現パラメータαは、映像の彩度がＴｈ１を超えると、映像の彩度の上昇に伴って増大するように定められている。すなわち、映像の彩度とホワイトポイントとの距離が一定距離以上において、映像の彩度がホワイトポイントから離れれば離れるほど、黄色成分光の光量が増大するように色再現パラメータαが定められている。
【００６５】
図４（ｂ）に示すように、輝度パラメータβ１は、映像（例えば、青（Ｂ）の色相）の彩度がＴｈ２となるまでは、映像の彩度の上昇に伴って減少するように定められている。一方、輝度パラメータβ１は、映像の彩度がＴｈ２を超えると一定である。すなわち、映像の彩度とホワイトポイントとの距離が一定距離以内において、映像の彩度がホワイトポイントから離れれば離れるほど、黄色成分光の光量が減少するように輝度パラメータβ１が定められている。
【００６６】
図４（ｃ）に示すように、輝度パラメータβ２は、映像の輝度がＴｈ３となるまで増大し、映像の輝度がＴｈ３を超えてから減少するように定められている。すなわち、映像の輝度がＴｈ３であるときをピークとして、黄色成分光の光量が少なくなるように輝度パラメータβ２が定められている。これによって、映像の輝度が低い場合における「黒浮き」や映像の輝度が高い場合における「白とび」が抑制される。
【００６７】
ここで、図４（ａ）〜図４（ｃ）では特に図示していないが、色再現パラメータα、輝度パラメータβ１及び輝度パラメータβ２は、赤（Ｒ）、緑（Ｇ）、青（Ｂ）及び黄（Ｙｅ）に相当する色相毎に定められていてもよい。また、色再現パラメータα、輝度パラメータβ１及び輝度パラメータβ２は、色相毎に異なる値であってもよい。
【００６８】
Ｙｅ成分調整部１３４は、黄色成分光の重畳量を特定する。具体的には、Ｙｅ成分調整部１３４は、色再現パラメータα、輝度パラメータβ１及び輝度パラメータβ２の少なくとも１つのパラメータ及びＹｅ置換信号Ｗに基づいて、黄色成分光の重畳量を制御する黄調整信号Ｙｅ’を算出する。
【００６９】
第１実施形態では、Ｙｅ成分調整部１３４は、黄調整信号Ｙｅ’に算出において、色再現パラメータα及び輝度パラメータβ１を用いる。具体的には、Ｙｅ成分調整部１３４は、以下の（式２）に基づいて、黄調整信号Ｙｅ’を算出する。
【００７０】
〔数２〕
Ｙｅ’＝Ｗ×（α＋β１）・・・（式４）
モード制御部１３５は、映像の輝度を優先する輝度優先モード及び映像の色バランスを優先する色バランス優先モードを制御する。なお、モードの切替えは、ユーザによって行われてもよく、映像入力信号の種別によって行われてもよい。例えば、ＰＣ用途では、輝度優先モードが適用される。一方で、ホームシアター用途では、色バランス優先モードが適用される。
【００７１】
具体的には、モード制御部１３５は、輝度優先モードにおいて、映像の彩度が所定彩度よりも低い場合に、非隣接色成分光及び隣接色成分光の光量を少なくとも減少させない。なお、モード制御部１３５は、映像の彩度が所定彩度より低い場合であっても、非隣接色成分光及び隣接色成分光の光量を増加させてもよい。
【００７２】
ここでは、モード制御部１３５は、赤入力信号Ｒｉｎ、緑入力信号Ｇｉｎ、青入力信号Ｂｉｎ及び黄調整信号Ｙｅ’を補正せずに、赤用出力信号Ｒｏｕｔ、緑用出力信号Ｇｏｕｔ、青用出力信号Ｂｏｕｔ及び黄用出力信号Ｙｅｏｕｔとして、これらの信号を各液晶パネル３０に出力する。
【００７３】
モード制御部１３５は、輝度優先モードにおいて、映像の彩度が所定彩度よりも高い場合に、非隣接色成分光の光量補正処理及び隣接色成分光の光量補正処理のうち、少なくともいずれか一方の処理を第４色成分光の重畳量に基づいて行う。
【００７４】
ここでは、モード制御部１３５は、黄調整信号Ｙｅ’に基づいて、青入力信号Ｂｉｎの補正処理を行う。又は、モード制御部１３５は、黄調整信号Ｙｅ’に基づいて、赤入力信号Ｒｉｎ又は緑入力信号Ｇｉｎの補正処理を行う。モード制御部１３５は、補正処理を行った信号については、赤用出力信号Ｒｏｕｔ、緑用出力信号Ｇｏｕｔ及び青用出力信号Ｂｏｕｔとして、補正処理後の信号を液晶パネル３０に出力する。モード制御部１３５は、黄調整信号Ｙｅ’を黄用出力信号Ｙｅｏｕｔとして液晶パネル３０Ｙｅに出力する。
【００７５】
モード制御部１３５は、色バランス優先モードにおいて、第４色成分光の重畳量に基づいて、非隣接色成分光の光量補正処理及び隣接色成分光の光量補正処理のうち、少なくともいずれか一方の処理を行う。
【００７６】
ここでは、モード制御部１３５は、黄調整信号Ｙｅ’に基づいて、青入力信号Ｂｉｎの補正処理を行う。又は、モード制御部１３５は、黄調整信号Ｙｅ’に基づいて、赤入力信号Ｒｉｎ又は緑入力信号Ｇｉｎの補正処理を行う。モード制御部１３５は、補正処理を行った信号については、赤用出力信号Ｒｏｕｔ、緑用出力信号Ｇｏｕｔ及び青用出力信号Ｂｏｕｔとして、補正処理後の信号を液晶パネル３０に出力する。モード制御部１３５は、黄調整信号Ｙｅ’を黄用出力信号Ｙｅｏｕｔとして液晶パネル３０Ｙｅに出力する。
【００７７】
（補正処理）
以下において、第１実施形態に係る補正処理について、図面を参照しながら説明する。図５〜図１０は、第１実施形態に係る補正処理について説明する図である。
【００７８】
ここでは、補正処理として、４つの補正処理を例示する。第１補正処理は、最大ケースにおいてホワイトバランスが最適化されており、Ｒ：Ｇが１：１の関係を有する赤成分光及び緑成分光によって黄色成分光が代替されるケースで適用される処理である。第２補正処理は、最大ケースにおいてホワイトバランスが最適化されており、Ｒ：Ｇが１：Ｘ（＞１）の関係を有する赤成分光及び緑成分光によって黄色成分光が代替されるケースで適用される処理である。
【００７９】
第３補正処理は、最小ケースにおいてホワイトバランスが最適化されており、Ｒ：Ｇが１：１の関係を有する赤成分光及び緑成分光によって黄色成分光が代替されるケースで適用される処理である。第４補正処理は、最小ケースにおいてホワイトバランスが最適化されており、Ｒ：Ｇが１：Ｘ（＞１）の関係を有する赤成分光及び緑成分光によって黄色成分光が代替されるケースで適用される処理である。
【００８０】
以下において、黄色成分光の重畳量は、“０”〜“１”の範囲で指数化されている。すなわち、重畳量“０”は、黄色成分光の重畳量が最小であることを示す。重畳量“１”は、黄色成分光の重畳量が最大であることを示す。同様に、赤成分光、緑成分光及び青成分光の補正量も指数化されている。
【００８１】
（第１補正処理）
第１補正処理では、モード制御部１３５は、図５に示すルックアップテーブルを用いて、青入力信号Ｂｉｎの補正処理を行う。図５に示すように、モード制御部１３５は、黄色成分光の重畳量の減少に伴って、青成分光の光量を減少する。
【００８２】
具体的には、黄色成分光の重畳量が最大（すなわち、“１”）である場合には、ホワイトバランスが最適化されているため、青成分光の減少量は“０”である。一方で、黄色成分光の重畳量の減少に伴って、青成分光の減少量が増加する。
【００８３】
例えば、モード制御部１３５は、黄色成分光の重畳量が“０．４”である場合には、青入力信号Ｂｉｎに“１−０．１２”を乗算することによって、青入力信号Ｂｉｎを補正する。
【００８４】
（第２補正処理）
第２補正処理では、黄色成分光において、緑成分光の比率が赤成分光の比率より高い。従って、黄色成分光の重畳量の減少に伴って、緑成分光が赤成分光よりも減少する。これを踏まえて、第２補正処理としては、２つの補正処理が考えられる。
【００８５】
第１に、第２補正処理（１）について説明する。第２補正処理（１）では、モード制御部１３５は、図６に示すルックアップテーブルを用いて、青入力信号Ｂｉｎの補正処理及び緑入力信号Ｇｉｎの補正処理を行う。図６に示すように、モード制御部１３５は、黄色成分光の重畳量の減少に伴って、青成分光の光量を減少する。また、モード制御部１３５は、黄色成分光の重畳量の減少に伴って、緑成分光の光量を増加する。
【００８６】
具体的には、黄色成分光の重畳量が最大（すなわち、“１”）である場合には、ホワイトバランスが最適化されているため、青成分光の減少量は“０”であり、緑成分光の増加量も“０”である。一方で、黄色成分光の重畳量の減少に伴って、青成分光の減少量が増加し、緑成分光の増加量も増加する。
【００８７】
例えば、モード制御部１３５は、黄色成分光の重畳量が“０．４”である場合には、青入力信号Ｂｉｎに“１−０．１２”を乗算することによって、青入力信号Ｂｉｎを補正する。また、モード制御部１３５は、緑入力信号Ｇｉｎに“１＋０．０６”を乗算して、緑入力信号Ｇｉｎを補正する。
【００８８】
なお、第２補正処理（１）では、青成分光の減少に伴って、緑成分光の光量が増加する。従って、出力信号の輝度値と入力信号の輝度値との差分を縮小することができる。すなわち、輝度変化を縮小することができる。
【００８９】
第２に、第２補正処理（２）について説明する。第２補正処理（２）では、モード制御部１３５は、図７に示すルックアップテーブルを用いて、青入力信号Ｂｉｎの補正処理及び赤入力信号Ｒｉｎの補正処理を行う。図７に示すように、モード制御部１３５は、黄色成分光の重畳量の減少に伴って、青成分光の光量を減少する。また、モード制御部１３５は、黄色成分光の重畳量の減少に伴って、赤成分光の光量を減少する。
【００９０】
具体的には、黄色成分光の重畳量が最大（すなわち、“１”）である場合には、ホワイトバランスが最適化されているため、青成分光の減少量は“０”であり、赤成分光の減少量も“０”である。一方で、黄色成分光の重畳量の減少に伴って、青成分光の減少量が増加し、赤成分光の減少量も増加する。
【００９１】
例えば、モード制御部１３５は、黄色成分光の重畳量が“０．４”である場合には、青入力信号Ｂｉｎに“１−０．１２”を乗算することによって、青入力信号Ｂｉｎを補正する。また、モード制御部１３５は、赤入力信号Ｒｉｎに“１−０．０６”を乗算して、赤入力信号Ｒｉｎを補正する。
【００９２】
（第３補正処理）
第３補正処理では、モード制御部１３５は、図８に示すルックアップテーブルを用いて、青入力信号Ｂｉｎの補正処理を行う。図８に示すように、モード制御部１３５は、黄色成分光の重畳量の増加に伴って、青成分光の光量を増加する。
【００９３】
具体的には、黄色成分光の重畳量が最小（すなわち、“０”）である場合には、ホワイトバランスが最適化されているため、青成分光の増加量は“０”である。一方で、黄色成分光の重畳量の増加に伴って、青成分光の増加量が増加する。
【００９４】
例えば、モード制御部１３５は、黄色成分光の重畳量が“０．４”である場合には、青入力信号Ｂｉｎに“１＋０．０８”を乗算することによって、青入力信号Ｂｉｎを補正する。
【００９５】
（第４補正処理）
第４補正処理では、黄色成分光において、緑成分光の比率が赤成分光の比率より高い。従って、黄色成分光の重畳量の増加に伴って、緑成分光が赤成分光よりも増加する。これを踏まえて、第４補正処理としては、２つの補正処理が考えられる。
【００９６】
第１に、第４補正処理（１）について説明する。第４補正処理（１）では、モード制御部１３５は、図９に示すルックアップテーブルを用いて、青入力信号Ｂｉｎの補正処理及び緑入力信号Ｇｉｎの補正処理を行う。図９に示すように、モード制御部１３５は、黄色成分光の重畳量の増加に伴って、青成分光の光量を増加する。また、モード制御部１３５は、黄色成分光の重畳量の増加に伴って、緑成分光の光量を減少する。
【００９７】
具体的には、黄色成分光の重畳量が最小（すなわち、“０”）である場合には、ホワイトバランスが最適化されているため、青成分光の増加量は“０”であり、緑成分光の減少量も“０”である。一方で、黄色成分光の重畳量の増加に伴って、青成分光の増加量が増加し、緑成分光の減少量も増加する。
【００９８】
例えば、モード制御部１３５は、黄色成分光の重畳量が“０．４”である場合には、青入力信号Ｂｉｎに“１＋０．０８”を乗算することによって、青入力信号Ｂｉｎを補正する。また、モード制御部１３５は、緑入力信号Ｇｉｎに“１−０．０４”を乗算して、緑入力信号Ｇｉｎを補正する。
【００９９】
なお、第４補正処理（１）では、青成分光の光量の増加に伴って、緑成分光の光量が減少する。従って、出力信号の輝度値と入力信号の輝度値との差分を縮小することができる。すなわち、輝度変化を縮小することができる。
【０１００】
第２に、第４補正処理（２）について説明する。第４補正処理（２）では、モード制御部１３５は、図１０に示すルックアップテーブルを用いて、青入力信号Ｂｉｎの補正処理及び赤入力信号Ｒｉｎの補正処理を行う。図１０に示すように、モード制御部１３５は、黄色成分光の重畳量の増加に伴って、青成分光の光量を増加する。また、モード制御部１３５は、黄色成分光の重畳量の増加に伴って、赤成分光の光量を増加する。
【０１０１】
具体的には、黄色成分光の重畳量が最小（すなわち、“０”）である場合には、ホワイトバランスが最適化されているため、青成分光の増加量は“０”であり、赤成分光の増加量も“０”である。一方で、黄色成分光の重畳量の増加に伴って、青成分光の増加量が増加し、赤成分光の増加量も増加する。
【０１０２】
例えば、モード制御部１３５は、黄色成分光の重畳量が“０．４”である場合には、青入力信号Ｂｉｎに“１＋０．０８”を乗算することによって、青入力信号Ｂｉｎを補正する。また、モード制御部１３５は、赤入力信号Ｒｉｎに“１＋０．０４”を乗算して、赤入力信号Ｒｉｎを補正する。
【０１０３】
なお、第４補正処理（２）では、青成分光の光量の増加に伴って、赤成分光の光量も増加する。従って、輝度の向上を図りながら、最適なホワイトポイントを維持することができる。
【０１０４】
（作用及び効果）
第１実施形態では、制御部１３０は、輝度優先モード及び色バランス優先モードを制御するため、第４色成分光を利用するケースであっても、色バランスを維持すべき場合に、最適なホワイトバランスを維持することができる。
【０１０５】
具体的には、モード制御部１３５は、輝度優先モードにおいて、映像の彩度が所定彩度よりも低い場合に、赤成分光、緑成分光及び青成分光の光量を少なくとも減少させない。従って、輝度優先モードにおいて、低彩度の映像について最大輝度を補償することができる。
【０１０６】
モード制御部１３５は、輝度優先モードにおいて、映像の彩度が所定彩度よりも高い場合に、黄色成分光の重畳量に基づいて、赤成分光、緑成分光又は青成分光の光量補正処理を行う。すなわち、輝度優先モードにおいて、高彩度の映像について、色バランスの低下を抑制することができる。特に、人間の視覚的に目立つ彩度が高い色のシフトに伴う違和感を軽減することができる。
【０１０７】
モード制御部１３５は、色バランス優先モードにおいて、黄色成分光の重畳量に基づいて、赤成分光、緑成分光又は青成分光の光量補正処理を行う。すなわち、色バランス優先モードにおいて、低彩度の映像についても、色バランスの低下を抑制することができる。従って、色バランス優先モードでは、最適なホワイトポイントを維持することができる。
【０１０８】
［第２実施形態］
以下において、第２実施形態について図面を参照しながら説明する。以下においては、第１実施形態と第２実施形態との相違点について主として説明する。
【０１０９】
具体的には、第１実施形態では、赤入力信号Ｒｉｎ、緑入力信号Ｇｉｎ及び青入力信号Ｂｉｎの補正処理によって、赤成分光、緑成分光及び青成分光の光量補正処理を行う。
【０１１０】
これに対して、第２実施形態では、各色成分光の変調前において、赤成分光、緑成分光及び青成分光の光量補正処理を行う。すなわち、各色成分光が液晶パネル３０に到達する前において、赤成分光、緑成分光及び青成分光の光量補正処理を行う。
【０１１１】
（投写型映像表示装置の概略）
以下において、第２実施形態に係る投写型映像表示装置の概略について、図面を参照しながら説明する。図１１は、第２実施形態に係る投写型映像表示装置１００の概略を示す図である。図１１では、図１と同様の構成について同様の符号を付している。
【０１１２】
図１１に示すように、投写型映像表示装置１００は、図１に示す構成に加えて、補助光源１２０を有する。また、投写型映像表示装置１００は、ミラー２２及びミラー２５に代えて、ミラー２２ａ及びミラー２５ａを有する。
【０１１３】
補助光源１２０は、補助光源１２０Ｒと、補助光源１２０Ｇと、補助光源１２０Ｂとを有する。補助光源１２０Ｒは、赤成分光を出射する固体光源（例えば、ＬＥＤやＬＤ）である。補助光源１２０Ｇは、緑成分光を出射する固体光源（例えば、ＬＥＤやＬＤ）である。補助光源１２０Ｂは、青成分光を出射する固体光源（例えば、ＬＥＤやＬＤ）である。
【０１１４】
ミラー２２ａは、一の偏光を反射して他の偏光を透過する偏光ミラーである。具体的には、ミラー２２ａは、光源１０から出射された赤成分光（一の偏光）を反射して、補助光源１２０Ｒから出射された赤成分光（他の偏光）を透過する。補助光源１２０Ｒから出射された赤成分光は、光源１０から出射された赤成分光と異なる偏光であることに留意すべきである。
【０１１５】
ミラー２５ａは、一の偏光を反射して他の偏光を透過する偏光ミラーである。具体的には、ミラー２５ａは、光源１０から出射された青成分光（一の偏光）を反射して、補助光源１２０Ｂから出射された青成分光（他の偏光）を透過する。補助光源１２０Ｂから出射された青成分光は、光源１０から出射された青成分光と異なる偏光であることに留意すべきである。
【０１１６】
（投写型映像表示装置の機能）
以下において、第２実施形態に係る投写型映像表示装置の機能について、図面を参照しながら説明する。図１２は、第２実施形態に係る投写型映像表示装置１００（制御部１３０）の機能を示すブロック図である。図１２では、図３と同様の構成について同様の符号を付している。
【０１１７】
図１２に示すように、制御部１３０は、モード制御部１３５に代えて、モード制御部１３５ａを有する。
【０１１８】
モード制御部１３５ａは、モード制御部１３５と略同様の機能を有しており、輝度優先モード及び色バランス優先モードを制御する。
【０１１９】
具体的には、モード制御部１３５ａは、輝度優先モードにおいて、映像の彩度が所定彩度よりも低い場合に、少なくとも非隣接色成分光及び隣接色成分光の光量を減少させない。但し、モード制御部１３５ａは、映像の彩度が所定彩度より低い場合であっても、非隣接色成分光及び隣接色成分光の光量を増加させてもよい。
【０１２０】
モード制御部１３５ａは、輝度優先モードにおいて、映像の彩度が所定彩度よりも高い場合に、非隣接色成分光の光量補正処理及び隣接色成分光の光量補正処理のうち、少なくともいずれか一方の処理を第４色成分光の重畳量に基づいて行う。
【０１２１】
ここでは、モード制御部１３５ａは、黄調整信号Ｙｅ’に基づいて、補助光源１２０Ｂの発光量の補正処理を行う。又は、モード制御部１３５ａは、黄調整信号Ｙｅ’に基づいて、補助光源１２０Ｒ又は補助光源１２０Ｇの発光量の補正処理を行う。
【０１２２】
モード制御部１３５ａは、色バランス優先モードにおいて、第４色成分光の重畳量に基づいて、非隣接色成分光の光量補正処理及び隣接色成分光の光量補正処理のうち、少なくともいずれか一方の処理を行う。
【０１２３】
ここで、モード制御部１３５ａは、黄調整信号Ｙｅ’に基づいて、補助光源１２０Ｂの発光量の補正処理を行う。又は、モード制御部１３５ａは、黄調整信号Ｙｅ’に基づいて、補助光源１２０Ｒ又は補助光源１２０Ｇの発光量の補正処理を行う。
【０１２４】
（補正処理）
以下において、第２実施形態に係る補正処理について、図面を参照しながら説明する。図１３〜図１８は、第２実施形態に係る補正処理について説明する図である。
【０１２５】
ここでは、第１実施形態と同様に、補正処理として、４つの補正処理を例示する。第１補正処理は、最大ケースにおいてホワイトバランスが最適化されており、Ｒ：Ｇが１：１の関係を有する赤成分光及び緑成分光によって黄色成分光が代替されるケースで適用される処理である。第２補正処理は、最大ケースにおいてホワイトバランスが最適化されており、Ｒ：Ｇが１：Ｘ（＞１）の関係を有する赤成分光及び緑成分光によって黄色成分光が代替されるケースで適用される処理である。
【０１２６】
第３補正処理は、最小ケースにおいてホワイトバランスが最適化されており、Ｒ：Ｇが１：１の関係を有する赤成分光及び緑成分光によって黄色成分光が代替されるケースで適用される処理である。第４補正処理は、最小ケースにおいてホワイトバランスが最適化されており、Ｒ：Ｇが１：Ｘ（＞１）の関係を有する赤成分光及び緑成分光によって黄色成分光が代替されるケースで適用される処理である。
【０１２７】
以下において、黄色成分光の重畳量は、“０”〜“１”の範囲で指数化されている。すなわち、重畳量“０”は、黄色成分光の重畳量が最小であることを示す。重畳量“１”は、黄色成分光の重畳量が最大であることを示す。
【０１２８】
（第１補正処理）
第１補正処理では、モード制御部１３５ａは、図１３に示すルックアップテーブルを用いて、補助光源１２０Ｂの発光量の補正処理を行う。図１３に示すように、モード制御部１３５ａは、黄色成分光の重畳量の減少に伴って、青成分光の光量を減少する。
【０１２９】
具体的には、黄色成分光の重畳量が最大（すなわち、“１”）である場合には、ホワイトバランスが最適化されているため、青成分光の減少量は“０”である。すなわち、補助光源１２０Ｂの発光量は“Ｐ”である。一方で、黄色成分光の重畳量の減少に伴って、青成分光の減少量が増加する。すなわち、黄色成分光の重畳量の減少に伴って、補助光源１２０Ｂの発光量は減少する。
【０１３０】
例えば、モード制御部１３５ａは、黄色成分光の重畳量が“０．４”である場合には、“０．１２”に対応する青成分光の光量を減少するように、補助光源１２０Ｂの発光量を減少する。すなわち、モード制御部１３５ａは、補助光源１２０Ｂの発光量を“Ｐ−α３”に制御する。
【０１３１】
なお、第１補正処理では、補助光源１２０Ｇ及び補助光源１２０Ｒは不要であることに留意すべきである。投写型映像表示装置１００は、補助光源１２０Ｇ及び補助光源１２０Ｒを有していなくてもよい。
【０１３２】
（第２補正処理）
第２補正処理では、黄色成分光において、緑成分光の比率が赤成分光の比率より高い。従って、黄色成分光の重畳量の減少に伴って、緑成分光が赤成分光よりも減少する。これを踏まえて、第２補正処理としては、２つの補正処理が考えられる。
【０１３３】
第１に、第２補正処理（１）について説明する。第２補正処理（１）では、モード制御部１３５ａは、図１４に示すルックアップテーブルを用いて、補助光源１２０Ｂ及び補助光源１２０Ｇの発光量の補正処理を行う。図１４に示すように、モード制御部１３５ａは、黄色成分光の重畳量の減少に伴って、青成分光の光量を減少する。また、モード制御部１３５ａは、黄色成分光の重畳量の減少に伴って、緑成分光の光量を増加する。
【０１３４】
具体的には、黄色成分光の重畳量が最大（すなわち、“１”）である場合には、ホワイトバランスが最適化されているため、青成分光の減少量は“０”であり、緑成分光の増加量も“０”である。すなわち、補助光源１２０Ｂの発光量は“Ｐ”であり、補助光源１２０Ｇの発光量は“Ｑ”である。一方で、黄色成分光の重畳量の減少に伴って、青成分光の減少量が増加し、緑成分光の増加量も増加する。すなわち、黄色成分光の重畳量の減少に伴って、補助光源１２０Ｂの発光量は減少し、補助光源１２０Ｇの発光量は増加する。
【０１３５】
例えば、モード制御部１３５ａは、黄色成分光の重畳量が“０．４”である場合には、“０．１２”に対応する青成分光の光量を減少するように、補助光源１２０Ｂの発光量を減少する。すなわち、モード制御部１３５ａは、補助光源１２０Ｂの発光量を“Ｐ−α３”に制御する。また、モード制御部１３５ａは、“０．０６”に対応する緑成分光の光量を増加するように、補助光源１２０Ｇの発光量を増加する。すなわち、モード制御部１３５ａは、補助光源１２０Ｇの発光量を“Ｑ＋β３”に制御する。
【０１３６】
なお、第２補正処理（１）では、青成分光の光量の減少に伴って、緑成分光の光量が増加する。従って、出力信号の輝度値と入力信号の輝度値との差分を縮小することができる。すなわち、輝度変化を縮小することができる。
【０１３７】
なお、第２補正処理（１）では、補助光源１２０Ｒは不要であることに留意すべきである。投写型映像表示装置１００は、補助光源１２０Ｒを有していなくてもよい。
【０１３８】
第２に、第２補正処理（２）について説明する。第２補正処理（２）では、モード制御部１３５ａは、図１５に示すルックアップテーブルを用いて、補助光源１２０Ｂ及び補助光源１２０Ｒの発光量の補正処理を行う。図１５に示すように、モード制御部１３５ａは、黄色成分光の重畳量の減少に伴って、青成分光の光量を減少する。また、モード制御部１３５ａは、黄色成分光の重畳量の減少に伴って、赤成分光の光量を減少する。
【０１３９】
具体的には、黄色成分光の重畳量が最大（すなわち、“１”）である場合には、ホワイトバランスが最適化されているため、青成分光の減少量は“０”であり、赤成分光の減少量も“０”である。すなわち、補助光源１２０Ｂの発光量は“Ｐ”であり、補助光源１２０Ｒの発光量は“Ｒ”である。一方で、黄色成分光の重畳量の減少に伴って、青成分光の減少量が増加し、赤成分光の減少量も増加する。すなわち、黄色成分光の重畳量の減少に伴って、補助光源１２０Ｂの発光量は減少し、補助光源１２０Ｒの発光量は減少する。
【０１４０】
例えば、モード制御部１３５ａは、黄色成分光の重畳量が“０．４”である場合には、黄色成分光の重畳量が“０．４”である場合には、“０．１２”に対応する青成分光の光量を減少するように、補助光源１２０Ｂの発光量を減少する。すなわち、モード制御部１３５ａは、補助光源１２０Ｂの発光量を“Ｐ−α３”に制御する。また、モード制御部１３５ａは、“０．０６”に対応する赤成分光の光量を減少するように、補助光源１２０Ｒの発光量を減少する。すなわち、モード制御部１３５ａは、補助光源１２０Ｒの発光量を“Ｒ−γ３”に制御する。
【０１４１】
なお、第２補正処理（２）では、補助光源１２０Ｇは不要であることに留意すべきである。投写型映像表示装置１００は、補助光源１２０Ｇを有していなくてもよい。
【０１４２】
（第３補正処理）
第３補正処理では、モード制御部１３５ａは、図１６に示すルックアップテーブルを用いて、補助光源１２０Ｂの発光量の補正処理を行う。図１６に示すように、モード制御部１３５ａは、黄色成分光の重畳量の増加に伴って、青成分光の光量を増加する。
【０１４３】
具体的には、黄色成分光の重畳量が最小（すなわち、“０”）である場合には、ホワイトバランスが最適化されているため、青成分光の増加量は“０”である。すなわち、補助光源１２０Ｂの発光量は“Ｐ”である。一方で、黄色成分光の重畳量の増加に伴って、青成分光の増加量が増加する。すなわち、黄色成分光の重畳量の増加に伴って、補助光源１２０Ｂの発光量は増加する。
【０１４４】
例えば、モード制御部１３５ａは、黄色成分光の重畳量が“０．４”である場合には、“０．０８”に対応する青成分光の光量を増加するように、補助光源１２０Ｂの発光量を減少する。すなわち、モード制御部１３５ａは、補助光源１２０Ｂの発光量を“Ｐ＋α２”に制御する。
【０１４５】
なお、第３補正処理では、補助光源１２０Ｇ及び補助光源１２０Ｒは不要であることに留意すべきである。投写型映像表示装置１００は、補助光源１２０Ｇ及び補助光源１２０Ｒを有していなくてもよい。
【０１４６】
（第４補正処理）
第４補正処理では、黄色成分光において、緑成分光の比率が赤成分光の比率より高い。従って、黄色成分光の重畳量の増加に伴って、緑成分光が赤成分光よりも増加する。これを踏まえて、第２補正処理としては、２つの補正処理が考えられる。
【０１４７】
第１に、第４補正処理（１）について説明する。第４補正処理（１）では、モード制御部１３５ａは、図１７に示すルックアップテーブルを用いて、補助光源１２０Ｂ及び補助光源１２０Ｇの発光量の補正処理を行う。図１７に示すように、モード制御部１３５ａは、黄色成分光の重畳量の増加に伴って、青成分光の光量を増加する。また、モード制御部１３５ａは、黄色成分光の重畳量の増加に伴って、緑成分光の光量を減少する。
【０１４８】
具体的には、黄色成分光の重畳量が最小（すなわち、“０”）である場合には、ホワイトバランスが最適化されているため、青成分光の増加量は“０”であり、緑成分光の減少量も“０”である。すなわち、補助光源１２０Ｂの発光量は“Ｐ”であり、補助光源１２０Ｇの発光量は“Ｑ”である。一方で、黄色成分光の重畳量の増加に伴って、青成分光の増加量が増加し、緑成分光の減少量も増加する。すなわち、黄色成分光の重畳量の増加に伴って、補助光源１２０Ｂの発光量は増加し、補助光源１２０Ｇの発光量は減少する。
【０１４９】
例えば、モード制御部１３５ａは、黄色成分光の重畳量が“０．４”である場合には、“０．０８”に対応する青成分光の光量を増加するように、補助光源１２０Ｂの発光量を増加する。すなわち、モード制御部１３５ａは、補助光源１２０Ｂの発光量を“Ｐ＋α２”に制御する。また、モード制御部１３５ａは、“０．０４”に対応する緑成分光の光量を減少するように、補助光源１２０Ｇの発光量を減少する。すなわち、モード制御部１３５ａは、補助光源１２０Ｇの発光量を“Ｑ−β２”に制御する。
【０１５０】
なお、第４補正処理（１）では、青成分光の光量の増加に伴って、緑成分光の光量が減少する。従って、出力信号の輝度値と入力信号の輝度値との差分を縮小することができる。すなわち、輝度変化を縮小することができる。
【０１５１】
なお、第４補正処理（１）では、補助光源１２０Ｒは不要であることに留意すべきである。投写型映像表示装置１００は、補助光源１２０Ｒを有していなくてもよい。
【０１５２】
第２に、第４補正処理（２）について説明する。第４補正処理（２）では、モード制御部１３５ａは、図１８に示すルックアップテーブルを用いて、補助光源１２０Ｂ及び補助光源１２０Ｒの発光量の補正処理を行う。図１８に示すように、モード制御部１３５ａは、黄色成分光の重畳量の増加に伴って、青成分光の光量を増加する。また、モード制御部１３５ａは、黄色成分光の重畳量の増加に伴って、赤成分光の光量を増加する。
【０１５３】
具体的には、黄色成分光の重畳量が最小（すなわち、“０”）である場合には、ホワイトバランスが最適化されているため、青成分光の増加量は“０”であり、赤成分光の増加量も“０”である。すなわち、補助光源１２０Ｂの発光量は“Ｐ”であり、補助光源１２０Ｒの発光量は“Ｒ”である。一方で、黄色成分光の重畳量の増加に伴って、青成分光の増加量が増加し、赤成分光の増加量も増加する。すなわち、黄色成分光の重畳量の減少に伴って、補助光源１２０Ｂの発光量は増加し、補助光源１２０Ｒの発光量は増加する。
【０１５４】
例えば、モード制御部１３５ａは、黄色成分光の重畳量が“０．４”である場合には、黄色成分光の重畳量が“０．４”である場合には、“０．０８”に対応する青成分光の光量を増加するように、補助光源１２０Ｂの発光量を増加する。すなわち、モード制御部１３５ａは、補助光源１２０Ｂの発光量を“Ｐ＋α２”に制御する。また、モード制御部１３５ａは、“０．０４”に対応する赤成分光の光量を増加するように、補助光源１２０Ｒの発光量を増加する。すなわち、モード制御部１３５ａは、補助光源１２０Ｒの発光量を“Ｒ＋γ２”に制御する。
【０１５５】
なお、第４補正処理（２）では、青成分光の光量の増加に伴って、赤成分光の光量も増加する。従って、輝度の向上を図りながら、最適なホワイトポイントを維持することができる。
【０１５６】
なお、第４補正処理（２）では、補助光源１２０Ｇは不要であることに留意すべきである。投写型映像表示装置１００は、補助光源１２０Ｇを有していなくてもよい。
【０１５７】
（作用及び効果）
第２実施形態では、補助光源１２０の発光量の制御によって、第１実施形態と同様の効果を得ることができる。
【０１５８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１５９】
例えば、第１実施形態と第２実施形態とを組み合わせてもよい。具体的には、信号の制御による補正及び補助光源の制御による補正を組み合わせてもよい。
【０１６０】
上述した実施形態では、図５〜図１０、図１３〜図１８に示すルックアップテーブルを例示したに過ぎない。ルックアップテーブルに代えて、第４色成分光の重畳量に基づいて、赤成分光、緑成分光及び青成分光の補正量を定義する曲線や計算式を用いてもよい。
【０１６１】
上述した実施形態では、第４色成分光の重畳量は、赤成分光及び緑成分光を代替するＹｅ置換成分に基づいて算出されるが、実施形態はこれに限定されるものではない。第４色成分光の重畳量は、モード毎に定められたデフォルト値であってもよい。
【０１６２】
上述した実施形態では、第４色成分光の重畳量の変化に伴うホワイトポイントのシフトは、主として、青成分光の光量の増加又は減少によって補償される。しかしながら、実施形態は、これに限定されるものではない。第４色成分光の重畳量の変化に伴うホワイトポイントのシフトは、主として、赤成分光及び緑成分光の光量の増加又は減少によって補償されてもよい。
【０１６３】
第２実施形態では、赤成分光、緑成分光及び青成分光の光量を補正するために、補助光源１２０の発光量を制御するが、実施形態はこれに限定されるものではない。赤成分光、緑成分光及び青成分光の光量の補正は、各色成分光の光路上に設けられた絞り部の制御によって行われてもよい。絞り部は、各色成分光が分離された後における各色成分光の光路上に設けられる。
【０１６４】
上述した実施形態では、第４色成分光は、黄色成分光であるが、実施形態はこれに限定されるものではない。第４色成分光は、シアン成分光やマゼンタ成分光であってもよい。
【０１６５】
上述した実施形態では、黄用出力信号Ｙｅｏｕｔは、色再現パラメータα及び輝度パラメータβ１を用いて生成されるが、本実施形態はこれに限定されるものではない。具体的には、黄用出力信号Ｙｅｏｕｔは、色再現パラメータαのみを用いて生成されてもよく、輝度パラメータβ１のみを用いて生成されてもよい。黄用出力信号Ｙｅｏｕｔは、輝度パラメータβ２のみを用いて生成されてもよい。黄用出力信号Ｙｅｏｕｔは、輝度パラメータβ１及び輝度パラメータβ２を用いて生成されてもよい。なお、色再現パラメータα、輝度パラメータβ１及び輝度パラメータβ２が適宜組み合わされて黄用出力信号Ｙｅｏｕｔが生成されてもよい。
【０１６６】
上述した実施形態では、黄色成分光の重畳量は、液晶パネル３０Ｙｅの変調量によって制御されるが、これに限定されるものではない。具体的には、黄色成分光の重畳量は、黄色成分光の光路上に設けられたアイリス機構によって制御されてもよい。
【０１６７】
上述した実施形態では、光変調素子の一例として、液晶パネルを例に挙げたが、これに限定されるものではない。具体的には、光変調素子は、ＬＣＯＳ（Ｌｉｑｕｉｄ  Ｃｒｙｓｔａｌ  ｏｎ  Ｓｉｌｉｃｏｎ）やＤＭＤ（Ｄｉｇｉｔａｌ  Ｍｉｃｒｏｍｉｒｒｏｒ  Ｄｅｖｉｃｅ）などであってもよい。
【図面の簡単な説明】
【０１６８】
【図１】第１実施形態に係る投写型映像表示装置１００の概略を示す図である。
【図２】第１実施形態に係る色度度を示す図である。
【図３】第１実施形態に係る制御部１３０の構成を示すブロック図である。
【図４】第１実施形態に係る色再現パラメータα、輝度パラメータβ１及び輝度パラメータβ２を示す図である。
【図５】第１実施形態に係る補正処理を説明する図である。
【図６】第１実施形態に係る補正処理を説明する図である。
【図７】第１実施形態に係る補正処理を説明する図である。
【図８】第１実施形態に係る補正処理を説明する図である。
【図９】第１実施形態に係る補正処理を説明する図である。
【図１０】第１実施形態に係る補正処理を説明する図である。
【図１１】第２実施形態に係る投写型映像表示装置１００の概略を示す図である。
【図１２】第２実施形態に係る制御部１３０の構成を示すブロック図である。
【図１３】第２実施形態に係る補正処理を説明する図である。
【図１４】第２実施形態に係る補正処理を説明する図である。
【図１５】第２実施形態に係る補正処理を説明する図である。
【図１６】第２実施形態に係る補正処理を説明する図である。
【図１７】第２実施形態に係る補正処理を説明する図である。
【図１８】第２実施形態に係る補正処理を説明する図である。
【符号の説明】
【０１６９】
１０・・・光源、２１〜２５・・・ミラー、３０・・・液晶パネル、３１〜３２・・・偏光板、５０・・・位相差板、６０・・・ダイクロイックキューブ、１００・・・投写型映像表示装置、１１０・・・投写レンズ、１２０・・・補助光源、１３０・・・制御部、１３１・・・入力信号受付部、１３２・・・Ｙｅ置換成分算出部、１３３・・・パラメータ特定部、１３４・・・Ｙｅ成分調整部、１３５・・・モード制御部
【図１】
2010014743.tif 000004
【図２】
2010014743.tif 000005
【図３】
2010014743.tif 000006
【図４】
2010014743.tif 000007
【図５】
2010014743.tif 000008
【図６】
2010014743.tif 000009
【図７】
2010014743.tif 000010
【図８】
2010014743.tif 000011
【図９】
2010014743.tif 000012
【図１０】
2010014743.tif 000013
【図１１】
2010014743.tif 000014
【図１２】
2010014743.tif 000015
【図１３】
2010014743.tif 000016
【図１４】
2010014743.tif 000017
【図１５】
2010014743.tif 000018
【図１６】
2010014743.tif 000019
【図１７】
2010014743.tif 000020
【図１８】
2010014743.tif 000021